(57)【要約】【課題】  動物の自然疾患から健康状態を判断し、適切な薬の投与や治療方法を効率よく発見し臨床データファイルや臨床治験結果を総合的多面的に判断して動物の疾患治療を行うとともにその有効データを人間の治療並びに適薬発見に寄与することを課題とする。【解決手段】遠隔操作での治療行為と同時進行的に適薬を発見するシステムとすることで、遠隔治療の対象となる患者に対しては、迅速に適薬が発見され、また当該患者のデータが蓄積されることで、創薬会社へのデータ還元を十分に行うことができる動物臨床試験システムを提供する。【選択図】図２
2011081758.tif 000002
【特許請求の範囲】
【請求項１】
犬を中心とした動物の臨床試験管理システムであり、免疫療法を容易かつ効率的に可能とする評価システム
【請求項２】
臨床試験データを共有するコンピュータネットワークシステムであり、ヒトに適用できるような動物疾患を遠隔操作で治療することができるための同時進行的適薬発見自動化システム
【請求項３】
周辺の地域情報・地域住民情報を含んだ、双方向通信ネットワークによる医療情報提供システムを備えた、免疫療法を容易かつ効率的に可能とする評価システムを含んだ、犬を中心とした動物の臨床試験のための同時進行的適薬発見自動化システム
【請求項４】
一つのサーバーを共有した複数台のコンピュータによる、治験ならびに臨床試験データ管理・バックアップシステムを備えた犬を中心とした動物の治験ならびに臨床試験管理システムであり、免疫療法を容易かつ効率的に可能とする評価システム
【請求項５】
自然発祥疾患の犬、猫に用いて臨床試験に応用し連携病院において、実際にリアルタイムで治療現場で症例が見れる犬を中心とした動物の治験ならびに臨床試験管理システムであり、免疫療法を容易かつ効率的に可能とする評価システム
【請求項６】
コンピュータ記録媒体を使った、ネットワークシステムで、治験および臨床試験対象動物管理データは、
１、候補治験および臨床試験対象動物ファイル
２、候補治験および臨床試験対象動物疾患データファイル
３、治験および臨床試験実施データファイルとに記録されたものを含み、
４、飼い主データファイル
から成り、記録媒体に候補治験対象動物個体毎に形成される免疫療法を容易かつ効率的に可能とする評価システムを含んだ、犬を中心とした動物の治験および臨床試験のための同時進行的適薬発見自動化システム
【請求項７】
犬の疾患に関する遺伝子マップであり、
免疫療法を容易かつ効率的に可能とする評価システムを含んだ、犬を中心とした動物の治験のための同時進行的適薬発見自動化システム
【請求項８】
３次元スキャナを使った立体図面並びに３視点スキャナを使った読取装置で、動物の患者の症状、医師の所見、診断結果、資料計画等の臨床実験データファイルや治験および臨床試験実施データファイルを帳表にした動物疾患対応型画像読み取りソフトを備えた免疫療法を容易かつ効率的に可能とする評価システムを含んだ、犬を中心とした動物の治験のための同時進行的適薬発見自動化システム
【発明の詳細な説明】
【技術分野】
【０００１】  本発明は、動物の自然疾患から健康状態を判断し、適切な薬の投与や治療方法を効率よく発見し臨床データファイルや臨床治験結果を総合的多面的に判断して動物の疾患治療を行うとともにその有効データを人間の治療並びに適薬発見に寄与することを狙って開発された動物臨床試験システムである。
【背景技術】
【０００２】  従来、動物の自然疾患に対する治療方法としては過去の種類や遺伝上の類似疾患および生活上の習慣から生まれる症例などシステムで構築された事例が少なかった。
【先行技術文献】
【特許文献】
【０００３】特願２００５−８３１３３  特願２００６−１２５７１２  特願２００６−１２８１６２
【発明の概要】
【発明が解決しようとする課題】
【０００４】  現在実用化されている適薬を発見するシステムは、個体（個人）毎の症状の差または効果の差を考慮し、フィードバックさせながら薬物摂取を支援するものとはなっているが、遠隔操作での治療行為と同時進行的に適薬を発見するシステムには至っていなかっため、遠隔治療の対象となる患者に対しては、適薬発見が遅れ、また当該患者のデータが蓄積されず、結果として、創薬会社へのデータ還元が十分でなかった。
【発明を実施するための手段】
【０００５】発明者は上記のような課題を解決するために研究を重ね、具体的に以下のような手段を見出したものである。
【０００６】  犬を中心とした動物の臨床試験管理システムであり、免疫療法を容易かつ効率的に可能とする評価システムを可能とした。
【０００７】  臨床試験データを共有するコンピュータネットワークシステムであり、ヒトに適用できるような動物疾患を遠隔操作で治療することができるための同時進行的適薬発見自動化システムである。
【０００８】  周辺の地域情報・地域住民情報を含んだ、双方向通信ネットワークによる医療情報提供システムを備えた、免疫療法を容易かつ効率的に可能とする評価システムを含んだ、犬を中心とした動物の治験のために同時進行的に適薬を発見できる。
【０００９】  一つのサーバーを共有した複数台のコンピュータによる、治験データ管理・バックアップシステムを備えた犬を中心とした動物の治験管理システムであり、免疫療法を容易かつ効率的に可能とする評価システムである。
【００１０】  大学の開発したものを自然発祥疾患の犬・猫（伴侶動物）に用いて臨床試験に応用し連携病院において、実際にリアルタイムで治療現場で症例が見れる犬を中心とした動物の治験管理システムであり、免疫療法を容易かつ効率的に可能とする評価システムとなる。
【００１１】コンピュータ記録媒体を使った、ネットワークシステムで、治験対象動物管理データは、
１  候補治験対象動物ファイル
２  候補治験対象動物疾患データファイル
３  治験実施データファイルとに記録されたものを含み、
４  飼い主データファイル
から成り、記録媒体に候補治験対象動物個体毎に形成される免疫療法を容易かつ効率的に可能とする評価システムを含んだ、犬を中心とした動物の治験のための同時進行的適薬発見自動化システムである。
【００１２】犬の疾患に関する遺伝子マップであり、
免疫療法を容易かつ効率的に可能とする評価システムを含んだ、犬を中心とした動物の治験のための同時進行的適薬発見自動化システムとなる。
【００１３】３次元スキャナを使った立体図面並びに３視点スキャナを使った読取装置で、動物の患者の症状・医師の所見・診断結果・資料計画等の臨床実験データファイルや治験実施データファイルを帳表にした動物疾患対応型画像読み取りソフトを備えた免疫療法を容易かつ効率的に可能とする評価システムを含んだ、犬を中心とした動物の治験のための同時進行的適薬発見自動化システムである。
【００１４】候補治験対象動物ファイルには、
疾患自然発症動物個体の、動物の特定、動物の種類、動物の年齢、雄雌の別、治験管理者、治験管理施設、生年月日、生活環境、身長・体重差、その他‥‥‥
を含む項目から選ばれるデータを記録した候補治験対象動物データ領域を有する。
【００１５】候補治験対象動物疾患データファイルには、
候補治験対象動物ファイルの各候補治験対象動物と対応付けて、疾患自然発症動物の、疾病名、病状、症状画像、関連臓器の保管、臨床検査値、障害度データ、治療状況、治療薬剤の投与量・投与方法、治療薬剤の副作用状況、アレルギー状況、過去の遺伝子的疾患、
を含む項目から選ばれるデータを記録した候補治験対象動物疾患データ領域を有する。
【００１６】治験実施データファイルには、
治験個体と対応付けて、治験実施がされたこと、治験実施開始日、治験実施依頼者、治験薬の特定、治験薬の投与量・投与方法・投与期間、治験データ、治験判定、治験副作用を含む項目から選ばれるデータを記録した治験実施データ領域を有する。
【００１７】飼い主データファイル
居住地、年齢、家族構成、散歩の頻度、性格、食生活、職業、収入、趣味（アウトドア派、インドア派）、交友関係、肥満度、病歴、他の動物との共生（鳥、猫、爬虫類）、虐待暦、かわいがり度を含む項目から選ばれるデータを記録した治験実施データ領域を有する。
【発明の効果】
【００１８】  犬を中心とした動物の治験（臨床試験）管理システムであり、免疫療法を容易かつ効率的に可能とする評価システムが実現できる。
【００１９】  治験（臨床試験）データを共有するコンピュータネットワークシステムであり、ヒトに適用できるような動物疾患を遠隔操作で治療することができるための同時進行的に適薬を自動的に発見することができる。
【００２０】  周辺の地域情報・地域住民情報を含んだ、双方向通信ネットワークによる医療情報提供システムを備え、免疫療法を容易かつ効率的に可能とする評価システムを含んだ、同時進行的に適薬を自動的に発見することができるシステムであり、犬を中心とした動物の治験に利用される。
【００２１】  一つのサーバーを共有した複数台のコンピュータによる、治験データ管理・バックアップシステムを備えた犬を中心とした動物の治験管理システムであり、免疫療法を容易かつ効率的に可能とする評価システムを提供できる。
【００２２】  大学の開発したものを自然発祥疾患の犬・猫（伴侶動物）に用いて臨床試験に応用し連携病院において、実際にリアルタイムで治療現場で症例が見れる犬を中心とした動物の治験管理システムであり、免疫療法を容易かつ効率的に可能とする利点がある。
【００２３】コンピュータ記録媒体を使った、ネットワークシステムで、治験対象動物管理データは、
１  候補治験対象動物ファイル
２  候補治験対象動物疾患データファイル
３  治験実施データファイルとに記録されたものを含み、
４  飼い主データファイル
から成り、記録媒体に候補治験対象動物個体毎に形成される免疫療法を容易かつ効率的に可能とする評価システムを含んだ、犬を中心とした動物の治験のための同時進行的適薬発見自動化システムが実現できる。
【００２４】犬の疾患に関する遺伝子マップであり、
免疫療法を容易かつ効率的に可能とする評価システムを含んだ、犬を中心とした動物の治験のための同時進行的適薬発見自動化システムを提供できる。
【００２５】３次元スキャナを使った立体図面並びに３視点スキャナを使った読取装置で、動物の患者の症状・医師の所見・診断結果・資料計画等の臨床実験データファイルや治験実施データファイルを帳表にした動物疾患対応型画像読み取りソフトを備えた免疫療法を容易かつ効率的に可能とする評価システムを含んだ、犬を中心とした動物の治験のための同時進行的適薬発見自動化システムを提供できる。
【図面の簡単な説明】
【００２６】
【図１】図１は、全体相関図であり、周辺の地域情報・地域住民情報を含んだ、双方向通信ネットワークによる医療情報提供システムを備えていることを示す。
【図２】図２は、共有される一つのハードウェアと複数台のパソコンであり、おのおののコンピュータ端末には、動物病院、実験室、創薬会社、飼い主等やその他協力者のパソコンがつながれることを示す。
【図３】図３は、フローチャートであり、対象動物ファイル、疾患データファイル、治験実施データファイルが集計分析され、適薬発見につながる。
【符号の説明】
【００２７】１  病院
２  飼い主、ユーザー
３  ペットショップ
４  ＧＰＳ
５  ベータベース
６  実験室、大学
７  創薬会社
８  （動物）病院
９  コンピュータ本体
１０  端末装置（動物病院）
１１  端末装置（実験室）
１２  端末装置（飼い主）
１３  端末装置（創薬会社）
１４  協力者
１５  ハードディスク（人間データ）
１６  ハードディスク（犬データ）
１７ａ、１７ｂ、１７ｃ．．．．．．、１７ｘ  表示装置
１８ａ、１８ｂ、１８ｃ．．．．．．、１８ｘ  入力装置
１９  信号伝達手段
【発明を実施するための形態】
【００２８】  治験（臨床試験）データを共有するコンピュータネットワークシステムであり、一つのサーバーを共有した複数台のコンピュータによる、治験データ管理・バックアップシステムを備えた、遠隔操作での治療行為と同時進行的に適薬を発見するシステムである。
【００２９】図１にあるように、１は病院で、２は飼い主やユーザーの端末装置であり、３はペットショップであり、４はＧＰＳ機能であり、６は実験室や大学であり、７は創薬会社であり、９は（動物）病院であり、５のベータベースを中心に連結、ネットワーク化している。
【００３０】図２にあるように９は、コンピュータ本体で、１０、１１、１２、１３．．．、ｘは、動物病院・実験室・飼い主・創薬会社等の端末装置で、１５は人間データ用のハードディスクで、１６は犬データ用のハードディスクで、１７ａ、１７ｂ、１７ｃ．．．．．．、１７ｘは表示装置で、１８ａ、１８ｂ、１８ｃ．．．．．．、１８ｘは入力装置で、１９は信号伝達手段である。
９  コンピュータ本体
１０  端末装置（動物病院）
１１  端末装置（実験室）
１２  端末装置（飼い主）
１３  端末装置（創薬会社）
１４  協力者
１５  ハードディスク（人間データ）
１６  ハードディスク（犬データ）
１７ａ、１７ｂ、１７ｃ．．．．．．、１７ｘ  表示装置
１８ａ、１８ｂ、１８ｃ．．．．．．、１８ｘ  入力装置
１９  信号伝達手段
【００３１】コンピュータ本体９を中心に端末装置１０、１１、１２、１３．．．、を連結させ、それら端末には入力装置１８ａ、１８ｂ、１８ｃ．．．．．．、１８ｘと表示装置１７ａ、１７ｂ、１７ｃ．．．．．．、１７ｘを備え、信号伝達手段１９により通信連結する。
【００３２】図２にあるように、コンピュータ本体９と、端末装置１０、１１、１２、１３．．．、を連結し、ホストコンピュータの電源をＯＮにするとホストコンピュータより画面信号を端末に送信する。各端末が画面信号を受信する。端末に接続されたキーボードとマウスの信号を、端末よりホストコンピュータへ送信する。ホストコンピュータが信号を受信する。これらの操作によりコンピュータ本体１の記憶装置ＣＰＵだけを介して１０、１１、１２、１３．．．、の各端末はコンピュータ本体１のＯＳを１０、１１、１２、１３．．．、の各端末が共有することで一括使用されかつ管理される。
【００３３】１５、１６に入っているアプリケーションを１０、１１、１２、１３．．．、の各端末がそれぞれ別個使用できる。１０、１１、１２、１３．．．、の各端末の作業状況をコンピュータ本体９の表示装置１７ａ、１７ｂ、１７ｃ．．．．．．、１７ｘのマルチウィンドウ画面に作業進捗度合いを数量的に表示できる。
【００３４】図３は、本発明のコンピュータシステムを稼動させるところのフローチャートである。
コンピュータ記録媒体を使った、ネットワークシステムで、治験対象動物管理データは、
１  対象動物ファイル
２  疾患データファイル
３  治験実施データファイル
とに記録されたものを含み、それぞれ集計分析される。個体に対し薬剤が適応であれば、薬剤が選択される。
【実施例１】
【００３５】  臨床試験データを共有するコンピュータネットワークを作るにあたって、治験対象動物のデータファイルを以下のように帳表分類する。
【表１】
2011081758.tif 000003
2011081758.tif 000004
【産業上の利用可能性】
【００３６】  上記した本発明によって、犬を中心とした動物の治験のための同時進行的適薬発見自動化システムを適用することで、遠隔操作での治療行為と同時進行的に適薬を発見することができる。
【図１】
2011081758.tif 000005
【図２】
2011081758.tif 000006
【図３】
2011081758.tif 000007